(57)【要約】【課題】複数の段階で位置および角度を調節可能な備えるディスプレイを提供する。【解決手段】ディスプレイは、基部と、異なる角度での自由な調節のためのボールソケット継手を介して基部に連結された支柱と、所望の高さで支柱に保持組立体をロックするために保持組立体に取り付けられたロック装置と、この保持組立体でピボット部材に回転可能に接続されるスクリーンとを備えている。【選択図】  図１
2007156381.tif 000002
【特許請求の範囲】
【請求項１】
複数の段階で位置および角度を調節可能なディスプレイであって、
回転ユニットを備えたスクリーンと、
凹孔を有する上面を有する基部と、 
前記基部の前記凹孔に垂直に取り付けられた支柱であって、支柱本体と、この支柱本体の底端部に固定されており、前記基部の前記凹孔に回転可能に接続されている自在継手と、を備える支柱と、
前記支柱上で前記スクリーンを保持するように用いられるホルダ組立体であって、前記支柱本体に取り付けられて前記支柱本体の長手方向に沿って可動な保持部材と、前記保持部材に固定され、且つ前記スクリーンの回転軸を有する装置に回転可能に接続されている回転部材と、前記支柱本体に前記保持部材をロックするように用いられるロック装置とを、備えているホルダ組立体と、
を備えていることを特徴とするディスプレイ。
【請求項２】
凹孔はボールソケットであって、自在継手が前記ボールソケットに連結される球形コネクタであることを特徴とする請求項１に記載のディスプレイ。
【請求項３】
回転部材は、前記スクリーンの回転ユニットに回転可能に接続されるスタブシャフトであることを特徴とする請求項１に記載のディスプレイ。
【請求項４】
回転ユニットは、軸孔と、この軸孔を構成する側面に等間隔に配置されている複数の位置決め溝を備えており、スタブシャフトが、前記回転ユニットの前記位置決め溝の一つに選択的に係合するために前記側面に対して放射状に突出している保持突起を有することを特徴とする請求項３に記載のディスプレイ。
【請求項５】
支柱は、ロック装置を選択的に受容するために、前記支柱の外周に異なる高さで複数の位置決め穴が形成されていることを特徴とする請求項１に記載のディスプレイ。
【請求項６】
ロック装置は少なくとも一つの保持ボールを備えており、当該保持ボールは、保持部材に取り付けられて、選択された高さで前記支柱に前記保持部材を固定するために前記支柱の少なくとも一つの位置決め穴に選択的に係合するように用いられることを特徴とする請求項５に記載のディスプレイ。
【請求項７】
保持部材は放射状の貫通孔を有しており、ロック装置が前記放射状の貫通孔に取り付けられており、選択された高さで支柱に前記ロック装置を固定するために、ロック装置が、支柱の外周の位置決め穴の1つに選択的に固定されることを特徴とする請求項５に記載のディスプレイ。
【請求項８】
ロック装置は、ロックピンであることを特徴とする請求項７に記載のディスプレイ。
【請求項９】
支柱の外周の位置決め穴はネジ穴であって、ロックピンが、前記支柱の前記ネジ穴の1つに選択的に螺合されるねじ切りされたシャンクを有することを特徴とする請求項８に記載のディスプレイ。
【請求項１０】
支柱本体は、シリンダロッドであることを特徴とする請求項９に記載のディスプレイ。
【請求項１１】
保持部材は、前記支柱本体を挿入するための貫通孔が形成されている環状保持部材であることを特徴とする請求項１に記載のディスプレイ。
【請求項１２】
ロック装置は、バネで支持される２つのつまみを備えており、このバネで支持される２つのつまみは、保持部材に２箇所でそれぞれ取り付けられており、支柱に前記保持部材をロックするために支柱本体の外周を締め付けることを特徴とする請求項１に記載のディスプレイ。
【請求項１３】
支柱本体の外周には、長手方向に固定された少なくとも一つのギヤラックが設けられており、ロック装置は、保持部材に回転可能に固定され、且つ少なくとも一つのギヤラックと噛み合うことのできる少なくとも一つのギアを備えていることを特徴とする請求項１に記載のディスプレイ。
【請求項１４】
支柱本体が、直方柱であることを特徴とする請求項１に記載のディスプレイ。
【請求項１５】
スクリーンが、フラットパネルディスプレイで構成されることを特徴とする請求項１に記載のディスプレイ。
【請求項１６】
スクリーンが、液晶ディスプレイで構成されることを特徴とする請求項１に記載のディスプレイ。
【請求項１７】
スクリーンが、プラズマディスプレイで構成されることを特徴とする請求項１に記載の表示装置。
【請求項１８】
スクリーンが、有機ELディスプレイで構成されることを特徴とする請求項１に記載のディスプレイ。
【発明の詳細な説明】
【技術分野】
【０００１】
本発明は、表示装置に関する。特に、ユーザがスクリーンの方向および角度の調節を片手で容易に行うことができるフラットパネルディスプレイに関する。
【背景技術】
【０００２】
ディスプレイ製造技術の急速な発展および液晶ディスプレイ（LCD）の大量生産によって、こうした表示装置は、従来のCRTモニタに取って代わるものとして盛んに用いられてきており、現在、市場を独占している。
【０００３】
LCDは、２つの偏光子の間に配置された液晶セルを有する。セルを通る光の経路を作るために電界が液晶セルに適用される。従って、セルに充填された液晶は、シャッタのようなものであって、光を通すことも光を遮断することもできる。従って、LCDは、特定の範囲の可視角度および好ましい視角を有する。LCDは、ユーザが自分のニーズや環境条件に基づいて、ディスプレイの視角を容易に調節することができなければならない。この角度調節機能は、ディスプレイの製品設計において重要である。
【０００４】
LCDの角度調節構造は、回転可能な結合(pivotally coupled:ピボット結合)または蝶番機構で形成することができる。回転可能な結合または蝶番機構によって、ユーザがスクリーンの傾き角および方向を調節することができる。
【０００５】
しかしながら、LCDのための従来の回転可能な結合および蝶番機構は、概して、高価で製造が容易ではない複雑な構成を有する。又、スクリーンの傾き角を調節するときに、ユーザは、片手で基部を持ち、もう一方の手でスクリーンを傾けなくてはならず、この調節手順は不便である。更に、従来の回転可能な結合または蝶番機構を用いたLCDにおいては、使用者は特定の一方向にのみ傾き角の調節をすることができる。ユーザは異なる方向にスクリーンの傾き角を調節することができないのである。
【発明の開示】
【発明が解決しようとする課題】
【０００６】
上述の欠点を克服するために、スクリーンの位置および角度を、容易に調節可能なディスプレイが必要とされている。
【課題を解決するための手段】
【０００７】
本発明のディスプレイは、スクリーン、基部、支柱およびホルダ組立体から成る。このスクリーンは、その背面で固定される回転ユニットを備えている。前記基部は、上面とこの上面にある凹孔とを有する。前記支柱は、支柱本体と、この支柱本体の底端で固定されており、この基部の凹孔に回転可能に接続される自在継手とを備えている。更に、前記ホルダ組立体は、スクリーンを支柱に保持するように用いられている。このホルダ組立体は、支柱の支柱本体に取り付けられており、この支柱本体の長手方向に沿って可動である保持部材と、この保持部材に固定されていてスクリーンの回転ユニットに回転可能に接続される回転部材と、この支柱の支柱本体に保持部材を固定するように用いられるロック装置と、を備えている。
【０００８】
支柱の自在継手と基部の凹孔との結合構造によって、ユーザは、異なるニーズまたは異なる環境条件を考慮して、スクリーンの方向および傾き角を調節することができる。ユーザは、スクリーンの方向もしくは傾き角を調節する時に、片手で支柱を持ち、基部に対して相対的に支柱を回転もしくは傾けることができる。更に、ホルダ組立体によって、ユーザは、支柱上のスクリーンの高さを容易に調節することができる。更に、ユーザは、回転部材を中心にスクリーンをホルダ組立体の保持部材にて所望の位置になるように時計回りもしくは反時計回りに回転させることができる。
【０００９】
ホルダ組立体の回転部材には、スクリーンの回転ユニットに回転可能に接続されるスタブシャフトを適用することができる。あるいは、回転ユニットは、ホルダ組立体の回転部材に回転可能にされるスタブシャフトの形態に形成されてもよい。
【００１０】
支柱の支柱本体には、シリンダロッドか、直方柱か、もしくは様々な輪郭形状を有するロッド部材を適用することができる。
【００１１】
支柱は、長手方向に沿って支柱本体の外周で固定された少なくとも一つのギヤラックを有して形成することができる。又、ホルダ組立体のロック装置は、保持部材において回転可能に接続されると共に、摩擦力によって支柱の支柱本体に保持部材を固定するために支柱の支柱本体の少なくとも一つのギヤラックと噛み合うことができる少なくとも一つのギアの形態に形成することができる。この設計では、ユーザが支柱の支柱本体上の保持部材の高さを片手で直接調節することができる。
【００１２】
スクリーンは、例えば液晶ディスプレイ、プラズマディスプレー、有機ELディスプレーといった、フラットパネルディスプレイから構成される。
【発明の効果】
【００１３】
本発明により、製造方法が単純で、安価に製造が可能な表示装置が提供される。本発明の表示装置は、スクリーンの傾き角を片手で調節できる。更に、本発明の表示装置のユーザは、いろいろな方向にスクリーンの傾き角を調節することができる。
【実施例】
【００１４】
図１に示されるように、本発明の第１実施例によるディスプレイは、スクリーン１、支柱２、基部３およびホルダ組立体４から成ることが示されている。 
【００１５】
この実施例によるスクリーン１は、ＬＣＤ（液晶ディスプレイ）１０から成っており、回転ユニット１１がその背面で固定されている。この回転ユニット１１は、軸孔１１１を有しており、複数の位置決め溝１１２が軸孔１１１の内壁に沿って等間隔に形成されている。この実施例における位置決め溝１１２の数は１５である。 
【００１６】
基部３は、上面３１を有しており、上部凹孔３２は、この上面３１において形成されている。この実施例では、上部凹孔３２は、ボールソケット（玉受口）３２１を形成している。
【００１７】
支柱２は、支柱本体２１、自在継手２２、および直線上に配列された多数の位置決め穴２３から構成される。この自在継手２２は、支柱本体２１の下端部に固定されており、基部３の上部凹孔３２に回転可能に接続される。複数の位置決め穴２３は、支柱本体２１の外周において異なる高さで形成されている。この実施例における支柱本体２１は、シリンダロッド２１１である。また、自在継手２２は、球形コネクタ２２１であり、位置決め穴２３は、ネジ穴２３１である。
【００１８】
更に、ホルダ組立体４には、ロック装置４１、回転部材４２および、支柱２の支柱本体２１を挿入するための貫通孔を画定する環状保持部材４３が備えられている。この環状保持部材４３は、支柱本体２１上にスリーブでつながれており、この支柱本体２１に沿って可動であると共に、放射状貫通孔４４を有する。ロック装置４１は、支柱２の支柱本体２１に環状保持部材４３を固定するように用いられる。この実施例におけるロック装置４１は、ロックピン４１１であり、放射状貫通孔４４を貫通して挿入され、環状保持部材４３を支柱２の選択された高さに固定するための、支柱２のネジ穴２３１の一つに選択的に螺合されるねじ切りされたシャンクを備えている。回転部材４２は、一端が環状保持部材４３に固定されて垂直に連結していると共に、スクリーン１の回転ユニット１１に連結している。本実施例における回転部材４２は、スクリーン１の回転ユニット１１の軸孔１１１と嵌合するスタブシャフト（stub shaft：軸頚）４２１である。このスタブシャフト４２１は、外周から放射状に突出する保持突起４２２を有しており、この保持突起４２２は、回転ユニット１１の軸孔１１１にスタブシャフト４２１が挿入される時に、回転ユニット１１の位置決め溝１１２の一つに選択的に係合し、スクリーン１をホルダ組立体４に所望の角度で固定する。
【００１９】
更に、ユーザは、スクリーン１の方向および傾き角を調節するために、片手で支柱２を持ち、上部凹孔３２において支柱２を回転させるか、若しくは上部凹孔３２（ボールソケット３２１）に対して相対的に支柱２を傾けることができる。更に、スクリーン１は、スタブシャフト４２１を中心にして時計回り又は反時計回りで所望の角度に回転させることができる。本発明のディスプレイのピボット構造体は非常に単純であり、よってその組立工程を単純化して、製造費用を大幅に減縮する。
【００２０】
図２〜図５に、本発明の第１実施例で実施される、ディスプレイのスクリーンの高さ、方向および角度の調節を示す。
【００２１】
図２に示すように、基部３への自在継手２２の結合によって、ユーザは、スクリーン１の方向および傾き角を調節するために、基部３に対して相対的に支柱２を回転させたり、傾けるために片手で支柱本体２１を持つことができる。
【００２２】
図３に示すように、支柱２から環状保持部材４３を非係合状態にするためにロック装置４１（ロックネジ４１１）を緩めた場合、ユーザは、スクリーン１の高さを調節するために支柱本体２１に沿ってスクリーン１を伴うホルダ組立体４を動かすことができる。スクリーン１が支柱２の支柱本体２１におけるネジ穴２３１の一つに対応する所望の高さに調節された後、ロック装置４１（ロックネジ４１１）は、環状保持部材４３を支柱２に所望の高さで固定するために、関連するネジ穴２３１に固定される。
【００２３】
更に、スクリーン１は、図４に示すように、支柱２を中心にして所望の位置に時計回りもしくは反時計回りにホルダ組立体４を伴って回転することができ、更に図５に示すように、回転部材４２を中心にして所望の位置に時計回りもしくは反時計回りに回転することができる。
【００２４】
図６および図７に示すように、本発明の第２実施例は、ホルダ組立体４のロック装置４１以外は、上述した第１実施例と実質的に同一である。この第２実施例によると、ホルダ組立体４０（第１実施例の参照番号４に相当する）のロック装置４１は、対向する２箇所に対称的に配置されたバネで支持される２つのつまみ４１３を備えており、支柱本体２１２（第１実施例の参照番号２１に相当する）にホルダ組立体４およびスクリーン１０１（第１実施例の参照符号１に相当する）を係合するように用いられる。ユーザは、スクリーンの高さを調節するために、ばねで支持されるつまみ４１３を片手で容易に操作することができ、このばねで支持されるつまみ４１３を押圧することによって、ホルダ組立体４０は支柱本体２１２の締め付けを解放する。ユーザはスクリーン１０１を所望の高さに調節することができる。そして、このバネに支持されたつまみ４１３を解放することによって、ホルダ組立体４０は、支柱本体２１２を締め付け、動かないようにする。図８は、本発明の第３実施例による、ディスプレイのロック機構の断面図である。
【００２５】
本発明の第３実施例は、ホルダ組立体４のロック装置４１以外は、上述した第１実施例と実質的に同一の構成を有する。この第３実施例によると、ホルダ組立体４０１（第１実施例の参照番号４に相当する）のロック装置４１は、支柱本体２１３（第１実施例の参照番号２１に相当する）に形成された１対の整列配置された位置決め穴２３２（第１実施例の参照番号２３に相当する）に収容される２つのバネで支持される保持ボール４１４を備えている。ユーザは、ホルダ組立体４０１を支柱本体２１３の選択される高さに位置を設定するために片手で容易に操作することができる。 
【００２６】
図９は、本発明の第４実施例の透視図である。この実施例によると、支柱本体２１は、２箇所で長手方向に固定された2つのギヤラック２４を有する直角柱２１４であって、ロック装置４１は、回転部材４２０（第１実施例の参照番号４２に相当する）に回転可能に取り付けられていると共にギヤラック２４とそれぞれ噛み合う２つのギア４１５を備えている。ギア４１５とギヤラック２４との間の摩擦抵抗によって、スクリーン１０２（第１実施例の参照番号１に相当する）は、直角柱２１４に調節可能に固定される。この実施例においても、ユーザが片手で容易にスクリーン１０２の高さを調節することができる。
【００２７】
本発明がその好適な実施例に関して説明されたが、他の多くの改造および変更が、添付の請求項に記載される本発明の精神と範囲から逸脱することなくなされることができると理解されよう。
【図面の簡単な説明】
【００２８】
【図１】本発明の第１実施例の表示装置の分解立体図である。
【図２】本発明の第１実施例の表示装置の支柱の位置の調整例を概略的に示す図である。
【図３】本発明の第１実施例の、支柱と関連するホルダ組立体を備えるスクリーンの高さの調節例を示す略図である。
【図４】本発明の第１実施例の、支柱を中心にして前記ホルダ組立体によって水平方向に回転するスクリーンを示している略図である。
【図５】本発明の第１実施例の、前記ホルダ組立体の回転部材を中心にして縦方向に回転するスクリーンを示している略図である。
【図６】本発明の第２実施例の、ディスプレイの一部の立面図である。
【図７】ホルダ組立体の断面図である。
【図８】本発明の第３実施例の、ディスプレイのロック機構の断面図である。
【図９】本発明の第４実施例の、ディスプレイの斜視図である。
【符号の説明】
【００２９】
１，１０１    スクリーン
２    支柱
３    基部
４，４０，４０１  ホルダ組立体
１０  ＬＣＤ
１１  回転ユニット
２１，２１２、２１３  支柱本体
２２  自在継手
２３、２３１，２３２  ネジ穴
４１  ロック装置
４２，４２０  回転部材
４３  環状保持部材
４４  放射状貫通穴
１１１  軸穴
１１２  位置決め溝
４２１  ロックネジ
【図１】
2007156381.tif 000003
【図２】
2007156381.tif 000004
【図３】
2007156381.tif 000005
【図４】
2007156381.tif 000006
【図５】
2007156381.tif 000007
【図６】
2007156381.tif 000008
【図７】
2007156381.tif 000009
【図８】
2007156381.tif 000010
【図９】
2007156381.tif 000011